(57)【要約】【課題】圧縮室内のガスを可及的に吐出しきることが可能であって固定渦巻壁の強度確保に優れ、しかも形成容易な吐出ポートを備えた固定スクロールを提供する。【解決手段】固定スクロール１８は、固定基板１９と、固定基板１９に立設された固定渦巻壁２０と、モータハウジング１４に嵌合される周壁１８１とから構成されている。可動渦巻壁１７と固定渦巻壁２０との間、及び固定基板１９の対向面１９１と可動基板１６の対向面１６１との間には圧縮室２１が形成される。固定基板１９を貫通する吐出ポート２４は、固定基板１９の背面１９２に開口する円形孔２７と、固定基板１９の対向面１９１に開口する入口用凹部２８とから構成されている。円形孔２７は、入口用凹部２８に連通している。入口用凹部２８は、固定スクロール１８の型成形の際に同時に型成形される。【選択図】図１
2009243404.tif 000002
【特許請求の範囲】
【請求項１】
固定基板上に固定渦巻壁を形成した固定スクロールと、可動基板上に可動渦巻壁を形成した可動スクロールとが対向しており、自転不能に公転する前記可動スクロールの可動渦巻壁と前記固定渦巻壁との間に前記可動スクロールの公転に基づいて容積減少する圧縮室が形成され、前記固定スクロールは型成形されるスクロール型圧縮機の固定スクロールにおける吐出ポート形成方法において、
前記固定スクロールを型成形する際に前記固定基板の渦巻壁側に入口用凹部を同時に型成形し、型成形された前記固定スクロールの固定基板の背面から前記入口用凹部に達する出口用孔をドリルで加工形成して吐出ポートを形成するスクロール型圧縮機の固定スクロールにおける吐出ポート形成方法。
【請求項２】
前記入口用凹部は、前記固定渦巻壁から離れた位置に型成形される請求項１に記載のスクロール型圧縮機の固定スクロールにおける吐出ポート形成方法。
【請求項３】
前記入口用凹部の一部は、前記固定渦巻壁の立設方向に見て、前記出口用孔と重なる請求項１及び請求項２のいずれか１項に記載のスクロール型圧縮機の固定スクロールにおける吐出ポート形成方法。
【請求項４】
固定基板上に固定渦巻壁を形成した固定スクロールと、可動基板上に可動渦巻壁を形成した可動スクロールとが対向しており、自転不能に公転する前記可動スクロールの可動渦巻壁と前記固定渦巻壁との間に前記可動スクロールの公転に基づいて容積減少する圧縮室が形成され、前記固定スクロールは型成形されるスクロール型圧縮機において、
請求項１乃至請求項３のいずれか１項に記載の形成方法によって形成された吐出ポートを有し、前記吐出ポートの入口用凹部を形成する凹み面は、鋳肌面である固定スクロールを備えたスクロール型圧縮機。
【発明の詳細な説明】
【技術分野】
【０００１】
本発明は、自転不能に公転する可動スクロールの可動渦巻壁と固定スクロールの固定渦巻壁との間に、可動スクロールの公転に基づいて容積減少する圧縮室を形成するスクロール型圧縮機、及びスクロール型圧縮機の固定スクロールにおける吐出ポート形成方法に関する。
【背景技術】
【０００２】
特許文献１に開示のスクロール型圧縮機では、固定スクロールの端板（基板）に設けられている吐出ポートは、端板の外面に形成された円穴と、端板の凹み面（渦巻側の面）に形成された連絡通路とから構成されている。圧縮室内のガスを吐出ポートからガスを吐出する場合、圧縮室内のガスを可及的に吐出しきることが望ましい。連絡通路は、ガスを可及的に吐出しきるように設けられているが、連絡通路及び円穴は、いずれも固定スクロールの固定渦巻壁を切り欠くようには形成されていない。従って、特許文献１に開示の固定渦巻壁の吐出ポート付近の強度は、固定渦巻壁を切り欠くように形成された吐出ポート（例えば円穴が固定渦巻壁を切り欠いて圧縮室に連通するような形状となっている吐出ポート）の場合に比べて、高くなる。
【特許文献１】特開平１−１８７３９０号公報
【発明の開示】
【発明が解決しようとする課題】
【０００３】
連絡通路は、エンドミルを用いて切削加工して形成される。しかし、このような切削加工には手間が掛かる。
本発明は、圧縮室内のガスを可及的に吐出しきることが可能であって固定渦巻壁の強度確保に優れ、しかも形成容易な吐出ポートを備えた固定スクロールを提供することを目的とする。
【課題を解決するための手段】
【０００４】
請求項１乃至請求項３の発明は、固定基板上に固定渦巻壁を形成した固定スクロールと、可動基板上に可動渦巻壁を形成した可動スクロールとが対向しており、自転不能に公転する前記可動スクロールの可動渦巻壁と前記固定渦巻壁との間に前記可動スクロールの公転に基づいて容積減少する圧縮室が形成され、前記固定スクロールが型成形されるスクロール型圧縮機における固定スクロールにおける吐出ポート形成方法を対象とし、請求項１の発明では、前記固定スクロールを型成形する際に前記固定基板の渦巻壁側に入口用凹部を同時に型成形し、型成形された前記固定スクロールの固定基板の背面から前記入口用凹部に達する出口用孔をドリルで加工形成して吐出ポートを形成する。
【０００５】
圧縮室内のガスを可及的に吐出しきることが可能な入口用凹部が型成形されるため、固定渦巻壁が切り欠かれることがなく、しかも吐出ポートの形成が容易になる。
好適な例では、前記入口用凹部は、前記固定渦巻壁から離れた位置に型成形される。
【０００６】
固定渦巻壁から離れた位置に入口用凹部を設ける構成は、固定渦巻壁の強度確保の上で好ましい。
好適な例では、前記入口用凹部の一部は、前記固定渦巻壁の立設方向に見て、前記出口用孔と重なる。
【０００７】
出口用孔の通路断面積を必要最小限に設定することができ、吐出ポート付近の強度の確保が容易になる。
請求項４の発明は、固定基板上に固定渦巻壁を形成した固定スクロールと、可動基板上に可動渦巻壁を形成した可動スクロールとが対向しており、自転不能に公転する前記可動スクロールの可動渦巻壁と前記固定渦巻壁との間に前記可動スクロールの公転に基づいて容積減少する圧縮室が形成され、前記固定スクロールが型成形されるスクロール型圧縮機を対象とし、請求項１乃至請求項３のいずれか１項に記載の形成方法によって形成された吐出ポートを有し、前記吐出ポートの入口用凹部を形成する凹み面は、鋳肌面である。
【０００８】
型成形によって形成される鋳肌面を残した構成は、吐出ポートの形成の手間の低減に寄与する。
【発明の効果】
【０００９】
本発明は、圧縮室内のガスを可及的に吐出しきることが可能であって固定渦巻壁の強度確保に優れ、しかも形成容易な吐出ポートを備えた固定スクロールを提供することができるという優れた効果を奏する。
【発明を実施するための最良の形態】
【００１０】
以下、本発明を具体化した第１の実施形態を図１〜図３に基づいて説明する。
図１（ａ）に示すように、回転電機Ｍを構成する回転子１１は、回転軸１２に止着されており、回転電機Ｍを構成する固定子１３は、モータハウジング１４の内周面に嵌合して固定されている。回転子１１及び回転軸１２は、固定子１３のコイル１３１への通電によって回転する。スクロール型圧縮機１０を構成する可動スクロール１５は、回転軸１２の回転によって旋回する。
【００１１】
可動スクロール１５は、可動基板１６と、可動基板１６に立設された可動渦巻壁１７とから構成されている。モータハウジング１４に固定された固定スクロール１８は、固定基板１９と、固定基板１９に立設された固定渦巻壁２０と、モータハウジング１４に嵌合される周壁１８１とから構成されている。可動渦巻壁１７と固定渦巻壁２０との間、及び固定基板１９の対向面１９１と可動基板１６の対向面１６１との間には圧縮室２１が形成される。圧縮室２１は、可動スクロール１５の旋回に伴って容積減少する。
【００１２】
モータハウジング１４の周壁に設けられた導入ポート２２は、図示しない外部冷媒回路に接続されており、外部冷媒回路から冷媒（ガス）が導入ポート２２を介してモータハウジング１４内へ導入される。モータハウジング１４内へ導入された冷媒は、可動スクロール１５の旋回によって、吸入ポート２３を経由して圧縮室２１へ吸入される。圧縮室２１内の冷媒は、可動スクロール１５の旋回によって、吐出ポート２４から吐出弁２５を押し退けて吐出室２６へ吐出される。吐出室２６内の冷媒は、外部冷媒回路へ流出してモータハウジング１４内へ還流する。
【００１３】
図１（ｂ），（ｃ）に示すように、固定基板１９を貫通する吐出ポート２４は、固定基板１９の背面１９２に開口する円形孔２７と、固定基板１９の対向面１９１に開口する入口用凹部２８とから構成されている。出口用孔である円形孔２７は、入口用凹部２８に連通している。
【００１４】
図２（ａ），（ｂ）に示すように、入口用凹部２８は、固定渦巻壁２０の始端部２０１の近傍に開口している。つまり、入口用凹部２８は、固定渦巻壁２０の立設方向（回転軸１２の軸方向）に見て、固定渦巻壁２０の始端部２０１から外れた位置に設けられている。円形孔２７の通路断面積は、入口用凹部２８の通路断面積よりも小さくしてある。
【００１５】
次に、固定スクロール１８の製造方法を図３（ａ），（ｂ），（ｃ）に基づいて説明する。
図３（ｂ）に示すように、固定スクロール１８は、２つの型２９，３０を用いてダイキャスト成形によって型成形される。図３（ａ）は、第１型２９及び第２型３０を組み合わせた状態を示す。第１型２９と第２型３０とは対向するように配置される。これら２つの型２９，３０を組み合わせた組み合わせ型内には金属溶湯Ｎが充填される。図３（ｂ）は、２つの型２９，３０を分離した状態を示す。
【００１６】
第１型２９は、固定基板１９の背面１９２及び周壁１８１の外周面１８２を形成し、第２型３０は、周壁１８１の端面１８３、周壁１８１の内周面１８４、固定渦巻壁２０の側壁面２０２、固定渦巻壁２０の先端面２０３、固定基板１９の対向面１９１、及び入口用凹部２８を形成する。入口用凹部２８を形成する凹み面２８１は、鋳肌面として残される。
【００１７】
図３（ｃ）に示すように、型成形された固定スクロール１８の固定基板１９には円形孔２７がドリル３１を用いて形成される。
第１の実施形態では以下のような効果が得られる。
【００１８】
（１）入口用凹部２８は、円形孔２７とは独立に、圧縮室２１内のガスを可及的に吐出しきることが可能な開口形状（対向面１９１上の開口の形状）に型成形によって形成可能である。つまり、吐出ポート２４の対向面１９１上の開口は、固定渦巻壁２０を切り欠かない位置に、かつ圧縮室２１内のガスを可及的に吐出しきることが可能な位置に配設できる。そのため、固定渦巻壁２０の基端部の強度の確保が容易である。
【００１９】
（２）型成形によって形成される入口用凹部２８の鋳肌面を残す構成は、入口用凹部２８をエンドミル等によって切削加工する場合に比べて、吐出ポート２４の形成の手間を低減することに寄与する。
【００２０】
（３）入口用凹部２８の一部と重なる円形孔２７の通路断面積は、吐出の上で望ましい必要最小限に設定することができる。従って、円形孔２７が固定渦巻壁２０の立設方向に見て始端部２０１に非常に近接している、あるいは円形孔２７の一部が始端部２０１と重なるような場合にも、円形孔２７の存在に起因する吐出ポート２４付近の固定スクロール１８の強度低下は抑制される。
【００２１】
次に、図４の第２の実施形態を説明する。第１の実施形態と同じ構成部には同じ符合を用い、その詳細説明は省略する。
図４（ａ）に示す固定基板１９の背面１９２には凹部１９３が型成形されている。図４（ｂ）は、凹部１９３の底にドリル３１によって円形孔３２を形成した状態を示す。円形孔３２は、入口用凹部２８の底に達しており、入口用凹部２８、円形孔３２及び凹部１９３は、吐出ポート２４を構成する。
【００２２】
第２の実施形態では、凹部１９３を予め型成形しておくため、円形孔３２を形成するための壁厚が第１の実施形態の場合よりも薄くなる。従って、凹部１９３を予め型成形した構成は、円形孔３２の加工形成（貫通加工）を容易にする。
【００２３】
次に、図５の第３の実施形態を説明する。第１の実施形態と同じ構成部には同じ符合を用い、その詳細説明は省略する。
図５（ｂ）に示すように、固定基板１９の対向面１９１に型形成された入口用凹部２８Ａは、固定渦巻壁２０の始端部２０１の側壁面２０２から離れるにつれて、徐々に深くなる傾斜部２８２を有する。図５（ｂ）は、ドリル３１によって円形孔２７を形成する状態を示す。
【００２４】
図５（ａ）に示すように、円形孔２７は、側壁面２０２から離れた位置にあって、かつ傾斜部２８２の最深部に開口している。入口用凹部２８Ａ及び円形孔２７は、吐出ポート２４を構成する。
【００２５】
第３の実施形態では、固定渦巻壁２０の始端部２０１近辺の固定基板１９の厚みが第１の実施形態の場合よりも厚くなり、固定渦巻壁２０の始端部２０１の強度が第１の実施形態の場合よりも高くなる。入口用凹部２８Ａに傾斜部２８２を設けた構成は、固定渦巻壁２０の始端部２０１付近の強度を確保する上で簡便な構成である。
【００２６】
本発明では以下のような実施形態も可能である。
○第１〜３の実施形態では、固定スクロール１８及び入口用凹部２８をダイキャスト成型で成型しているが、これに限らず、鍛造等で成型してもよい。
【００２７】
前記した実施形態から把握できる技術的思想について以下に記載する。
〔１〕前記凹部は、前記固定渦巻壁の始端部から離れるにつれて、徐々に深くなる傾斜部を有する請求項４に記載のスクロール型圧縮機。
【００２８】
上記技術的思想〔１〕の構成によれば、固定渦巻壁の始端部近辺の固定基板の厚みが、傾斜部を有していない場合と比較して厚くなる。従って、固定渦巻壁の始端部付近の強度を確保し易い。
【図面の簡単な説明】
【００２９】
【図１】第１の実施形態を示し、（ａ）は、圧縮機全体の側断面図。（ｂ）は、部分拡大側断面図。（ｃ）は、部分拡大正断面図。
【図２】（ａ）は、図１のＡ−Ａ線断面図。（ｂ）は、部分拡大線断面図。
【図３】（ａ），（ｂ），（ｃ）は、製造過程を説明するための側断面図。
【図４】（ａ），（ｂ）は、第２の実施形態の製造過程を説明するための部分拡大側断面図。
【図５】（ａ），（ｂ）は、第３の実施形態を示し、（ａ）は、部分拡大背面図。（ｂ）は、図５（ａ）のＢ−Ｂ線断面図。
【符号の説明】
【００３０】
１０…スクロール型圧縮機。１５…可動スクロール。１６…可動基板。１７…可動渦巻壁。１８…固定スクロール。１９…固定基板。１９２…背面。２０…固定渦巻壁。２１…圧縮室。２４…吐出ポート。２７，３２…出口用孔としての円形孔。２８，２８Ａ…入口用凹部。２８１…凹み面。３１…ドリル。
【図１】
2009243404.tif 000003
【図２】
2009243404.tif 000004
【図３】
2009243404.tif 000005
【図４】
2009243404.tif 000006
【図５】
2009243404.tif 000007